(57)【要約】【課題】  安価で、且つ安定した開閉動作を行うことができる扉付きコンセント装置を提供する。【解決手段】  扉付きコンセント装置１は、前面が開口した箱状のボディ２と、ボディ２に収納された一対の電源用の刃受部４，４と、前壁に一対の電源用の栓刃挿入孔７ａ，７ｂを有してボディ２の前面に被着されるカバー６と、カバー６の前壁の後方に位置して一対の栓刃挿入孔７ａ，７ｂを開閉する扉体１０と、該扉体１０のカバー６の前後方向に対して交差する方向の一端面が腕部１１ｂ，１１ｂに前後方向に摺動自在に当接されて、扉体１０が一対の栓刃挿入孔７ａ，７ｂを遮蔽するように扉体１０を他端側へ付勢する弾性体１１と、一対の栓刃挿入孔７ａ，７ｂをそれぞれ挿通した一対の栓刃３ａ，３ａにより扉体１０がカバー６の後方へ押し込まれた際に、扉体１０を一端側に誘導するために突部２３及び斜面部２６ａからなるガイド手段とを具備している。【選択図】図１
2006040733.tif 000002
【特許請求の範囲】
【請求項１】
前面が開口したボディと、前記ボディに収納されプラグの一対の栓刃がそれぞれ接続される一対の刃受部と、前壁に一対の栓刃挿入孔を有して前記ボディの前面に被着されるカバーと、前記カバーの前壁の後方に位置して前記一対の栓刃挿入孔を開閉する扉体と、該扉体の前記カバーの前後方向に対して交差する方向の一端面が前後方向に摺動自在に当接されて、前記扉体が前記一対の栓刃挿入孔を遮蔽するように前記扉体を他端側へ付勢する弾性体と、前記一対の栓刃挿入孔をそれぞれ挿通した前記一対の栓刃により前記扉体が前記カバーの後方へ押し込まれた際に、前記扉体を一端側に誘導するガイド手段とを具備していることを特徴とする扉付きコンセント装置。
【請求項２】
前記ガイド手段は、前記カバーの前後方向に交差する面内で前記弾性体の付勢方向と直交する方向において前記扉体の両端側に突設された突部と、前記付勢方向にいくにしたがって前記カバーの前壁に近付くように傾斜し、前記突部がそれぞれ摺動自在に当接される斜面部とから構成されていることを特徴とする請求項１に記載の扉付きコンセント装置。
【請求項３】
前記ガイド手段は、前記カバーの前後方向に交差する面内で前記弾性体の付勢方向と直交する方向において前記扉体の両端側に形成された溝部と、前記カバーの前後方向に交差する面内で前記付勢方向と直交する方向に突出して、前記付勢方向にいくにしたがって前記カバーの前壁に近付くように傾斜し、前記溝部にそれぞれ摺動自在に嵌め合わされる突部とから構成されていることを特徴とする請求項１に記載の扉付きコンセント装置。
【請求項４】
前記ガイド手段は、前記カバーの前後方向に交差する面内で前記弾性体の付勢方向と直交する方向において前記扉体の両端側にそれぞれ前記付勢方向に離間して突設された一対の突部と、前記付勢方向にいくにしたがって前記カバーの前壁に近付くように傾斜し、前記突部がそれぞれ摺動自在に当接される斜面部とから構成されていることを特徴とする請求項１に記載の扉付きコンセント装置。
【請求項５】
前記扉体が前記一対の栓刃挿入孔を遮蔽している状態で、一方の栓刃挿入孔を介した外力により前記扉体が傾斜した際に、他方の栓刃挿入孔側において前記扉体を引掛係止して、前記扉体が前記弾性体の付勢に抗する方向へ移動することを規制する規制手段を、各栓刃挿入孔に対応して設けていることを特徴とする請求項１乃至４のいずれか１項に記載の扉付きコンセント装置。
【請求項６】
面方向が前記付勢方向を向いた前記扉体の側面部の後方に、前記扉体の押し込み量を規制する規制突起を設けたことを特徴とする請求項１乃至５のいずれか１項に記載の扉付きコンセント装置。
【請求項７】
前記一対の刃受部には前記プラグの栓刃の先端に形成された透孔に係合する係合突起が形成され、前記ボディには接地極用の刃受部が収納され、前記カバーには前記接地極用の刃受部にプラグの接地極用の栓刃を接続するための接地極用の栓刃挿入孔が形成され、前記接地極用の栓刃挿入孔には前記接地極用の栓刃の挿抜によって開閉する接地極用の扉体が設けられており、前記接地極用の扉体は、通常接地極用の弾性体により前記接地極用の栓刃挿入孔を遮蔽する位置に付勢され、前記接地極用の栓刃により前記カバーの後方へ押し込まれると前記接地極用の弾性体を撓ませる位置に位置することを特徴とする請求項１乃至６のいずれか１項に記載の扉付きコンセント装置。
【発明の詳細な説明】
【技術分野】
【０００１】
本発明は、扉付きコンセント装置に関する。
【背景技術】
【０００２】
従来から、コンセント装置の栓刃挿入孔から装置内への異物の侵入や、装置の充電部に触れることによる感電等を防止するために、コンセント装置にプラグの栓刃を接続しない場合には、栓刃挿入孔を遮蔽する扉を設けた扉付きコンセント装置が提供されている。
【０００３】
この種の扉付きコンセント装置としては、図１９及び図２０に示すような扉付きのカバー１０１を備えたものが提供されている（特許文献１、特許文献２）。
【０００４】
このカバー１０１は、前壁に一対の栓刃挿入孔１０２ａ，１０２ａを有する前部カバー１０２、及び一対の栓刃挿入孔１０２ａ，１０２ａとそれぞれ連通する一対の挿通孔１０３ａ，１０３ａを有し、前部カバー１０２の底板となる押え板１０３からなるカバー本体１０４に、扉体１０５と、コイルスプリング１０６と、板ばね１０７とが収納されて構成されている。
【０００５】
カバー本体１０４は、後面が全面に亘って開口した前部カバー１０２と、前部カバー１０２の開口した後面に固着される押え板１０３とから構成されている。
【０００６】
前部カバー１０２は、後面が全面に亘って開口した直方体の箱状に形成されて、カバーの前壁となる前部カバー１０２の前壁には、該前壁の長手方向に離間した一対の栓刃挿入孔１０２ａ，１０２ａが形成されている。また、図２０（ａ）に示すように、前部カバー１０２の前壁の裏部には、その長手方向の一端側に板ばね１０７を位置決めするための位置決め片１０２ｂが突設されており、また、裏部の一対の栓刃挿入孔１０２ａ，１０２ａ間の部位の長手方向一端側にはコイルスプリング１０６の一端部が当接される平板状の支持片１０２ｃが突設されている。
【０００７】
押え板１０３は、一対の栓刃挿入孔１０２ａ，１０２ａにそれぞれ対応する一対の挿通孔１０３ａ，１０３ａを有する平板状に形成されており、その前面部の一対の挿通孔１０３ａ，１０３ａ間の部位には、押え板１０３の長手方向の一端側から他端側にいくにしたがって前方へ傾斜する斜面部１０８ａを備えた略三角形状の一対のスライド用リブ１０８が短手方向に離間して一体に突設されている。
【０００８】
扉体１０５は、中央部が開口した矩形枠状に形成されており、扉体１０５の前面部の長手方向両端部には一対の栓刃挿入孔１０２ａ，１０２ａに嵌合する遮蔽部１０５ａ，１０５ａが扉体１０５から前方に向けて一体に突設されている。また、扉体１０５の短手方向において対向する両内側面には、スライド用リブ１０８の斜面部１０８ａを摺動するスライド用突起部１０５ｂ，１０５ｂがそれぞれ突設されており、扉体１０５の長手方向の他端側の内側面にはコイルスプリング１０６の他端部が嵌着される支持部１０５ｃが突設されている。板ばね１０７は、縦辺部１０７ａと横辺部１０７ｂとを備えた略Ｌ字状に形成されており、横辺部１０７ｂの他端部からは一対の腕部１０７ｃ，１０７ｃが前方に向けて傾斜するように延設されている。
【０００９】
カバー１０１は上記の部材により構成されており、各部材は次のようにして配置されている。すなわち、扉体１０５は、遮蔽部１０５ａ，１０５ａを前部カバー１０２の一対の栓刃挿入孔１０２ａ，１０２ａに嵌合させて、一対の栓刃挿入孔１０２ａ，１０２ａを遮蔽して前部カバー１０２の前壁の後方に近接して配置されるとともに、一端部が前部カバー１０２の支持片１０２ｃに当接されたコイルスプリング１０６の他端部が支持部１０５ｃに嵌着されて、前部カバー１０２の他端側へ付勢されている。加えて、扉体１０５は、前部カバー１０２の位置決め片１０２ｂと位置決め片１０２ｂに近接する側壁との間に縦辺部１０７ａが嵌入されて位置決めされた板ばね１０７の腕部１０７ｃ，１０７ｃによってカバー１０１の前方へ向けて付勢されており、このように扉体１０５、コイルスプリング１０６、及び板ばね１０７が配置された前部カバー１０２の後面には、一対の挿通孔１０３ａ，１０３ａがそれぞれ一対の栓刃挿入孔１０２ａ，１０２ａの後方に位置するとともに、スライド用リブ１０８，１０８の斜面部１０８ａ，１０８ａに扉体１０５のスライド用突起部１０５ｂ，１０５ｂが当接するようにして、押え板１０３が固着されている。
【特許文献１】実用新案登録第３１０１２２６号公報（第１図）
【特許文献２】実用新案登録第３１０１３３７号公報（第１図）
【発明の開示】
【発明が解決しようとする課題】
【００１０】
次に、図２０を用いて上記のカバー１０１にプラグ（図示せず）の栓刃１０９，１０９を挿入した際の動作について説明する。
【００１１】
図２０（ａ）は、扉付きコンセント装置にプラグの栓刃１０９，１０９を挿入する前の通常時の状態を示しており、このとき、カバー１０１の扉体１０５は、コイルスプリング１０６によりカバー１０１の他端側へ付勢されるとともに、板ばね１０７によりカバー１０１の前方へ付勢され、遮蔽部１０５ａ，１０５ａが一対の栓刃挿入孔１０２ａ，１０２ａに嵌合して栓刃挿入孔１０２ａ，１０２ａを遮蔽している。このカバー１０１にプラグの栓刃１０９，１０９を一対の栓刃挿入孔１０２ａ，１０２ａから挿入し、遮蔽部１０５ａ，１０５ａをそれぞれ栓刃１０９，１０９で押圧して扉体１０５をカバー１０１の後方へ押し込んでいくと、扉体１０５は、板ばね１０７の腕部１０７ｃ，１０７ｃを押し撓めながらカバー１０１の後方へ移動していくが、同時に、扉体１０５のスライド用突起部１０５ｂ，１０５ｂがスライド用リブ１０８の斜面部１０８ａ，１０８ａに添って一端側へ摺動するために、扉体１０５は、カバー１０１の一端側へ誘導されることになり、コイルスプリング１０６を押し撓めながらカバー１０１の一端側へ移動する。このように栓刃１０９，１０９を押し込んでいくと、やがて図２０（ｂ）に示すように、扉体１０５の遮蔽部１０５ａ，１０５ａが一対の栓刃挿入孔１０２ａ，１０２ａと重複しなくなって、栓刃挿入孔１０２ａ，１０２ａと挿通孔１０３ａ，１０３ａとが連通し、栓刃１０９，１０９がカバー１０１を挿通できるようになるのである。
【００１２】
この後、図２０（ｂ）に示すカバー１０１に栓刃１０９，１０９を差し込んだ状態から、栓刃１０９，１０９を引き抜くと、栓刃１０９，１０９による扉体１０５の押圧状態が解除されることになるから、扉体１０５は、コイルスプリング１０６によりカバー１０１の他端側へ付勢されるとともに、板ばね１０７によりカバー１０１の前方へ付勢されて、扉体１０５が一対の栓刃挿入孔１０２ａ，１０２ａを遮蔽する図２０（ａ）の状態に復帰するのである。
【００１３】
したがって、上記のカバー１０１によれば、扉体をカバーの前壁に対して斜め方向に並行移動させることにより栓刃挿入孔１０２ａ，１０２ａの開閉動作が行われるが、扉体１０５をカバー１０１に対して斜め方向に付勢するためにコイルスプリング１０６と板ばね１０７の２つの弾性体を用いており、そのため扉付きコンセント装置に必要な部品点数が多くなって製造工程が複雑化してしまうから、製造コストを抑えることができず、コストが高くなるという問題があった。
【００１４】
また、カバー１０１の栓刃挿入孔１０２ａ，１０２ａの開閉動作時において、コイルスプリング１０６は、図２０（ｂ）に示すように、扉体１０５がカバー１０１の後方へ押し込まれた際に、コイルスプリング１０６の付勢方向と交差する方向に曲げられるとともに、コイルスプリング１０６の一端部が支持片１０２ｃの面上を前後方向に摺動することになる。このように、コイルスプリング１０６にその付勢方向と交差する方向に負荷を与えると、コイルスプリング１０６が破損して、所望の付勢力が得られなくなり、これにより扉体１０５を復帰させることができなくなるおそれがあった。さらに、コイルスプリング１０６の一端部が支持片１０２ｃを摺動する際に、支持片１０２ｃとの当接状態を保てなくなってコイルスプリング１０６の一端部が外れて、扉体１０５を正しく動作させることができなくなるおそれがあった。この問題は、コイルスプリング１０６の一端部を支持片１０２ｃに固着すれば解決可能であるが、この場合、コイルスプリング１０６がその付勢方向に交差する方向に大きく曲げられることになってしまい、上記のコイルスプリング１０６の破損という問題を生じ易くしてしまうというおそれがあった。
【００１５】
すなわち、上記のカバー１０１では、製造コストの増加を避けられず、加えて安定した開閉動作を行えないという問題があった。
【００１６】
本発明は上述の点に鑑みて為されたもので、その目的は、安価で、且つ安定した開閉動作を行うことができる扉付きコンセント装置を提供することである。
【課題を解決するための手段】
【００１７】
上述の課題を解決するために、請求項１の発明では、前面が開口したボディと、前記ボディに収納されプラグの一対の栓刃がそれぞれ接続される一対の刃受部と、前壁に一対の栓刃挿入孔を有して前記ボディの前面に被着されるカバーと、前記カバーの前壁の後方に位置して前記一対の栓刃挿入孔を開閉する扉体と、該扉体の前記カバーの前後方向に対して交差する方向の一端面が前後方向に摺動自在に当接されて、前記扉体が前記一対の栓刃挿入孔を遮蔽するように前記扉体を他端側へ付勢する弾性体と、前記一対の栓刃挿入孔をそれぞれ挿通した前記一対の栓刃により前記扉体が前記カバーの後方へ押し込まれた際に、前記扉体を一端側に誘導するガイド手段とを具備していることを特徴とする扉付きコンセント装置とした。
【００１８】
請求項１の発明によれば、扉体をカバーの前壁に対して斜め方向に並行移動させることによる栓刃挿入孔の開閉動作を、複数の弾性体を用いることなく一つの弾性体を用いて行うことができるために、扉付きコンセント装置に必要な部品点数を削減でき、これにより製造工程を簡略化できるから、製造コストを抑えて安価に製造することができる。また、従来のように弾性体自体をその付勢方向に直交する方向に摺動させるのではなく、弾性体に扉体を前後方向に摺動自由に当接させているから、弾性体がその付勢方向に対して交差する方向に曲げられることがなくなるため、弾性体が破損したり所定位置から外れたりして開閉動作を正しく行えなくなるというおそれがなく、これにより安定した開閉動作を行うことができるようになる。
【００１９】
請求項２の発明では、請求項１の発明の構成に加えて、前記ガイド手段は、前記カバーの前後方向に交差する面内で前記弾性体の付勢方向と直交する方向において前記扉体の両端側に突設された突部と、前記付勢方向にいくにしたがって前記カバーの前壁に近付くように傾斜し、前記突部がそれぞれ摺動自在に当接される斜面部とから構成されていることを特徴とする扉付きコンセント装置とした。
【００２０】
請求項２の発明によれば、扉体に突設した突部と、該突部が摺動自在に当接される斜面部との簡単な構成からガイド手段を得ることができるから、扉付きコンセント装置の構成部品を少なくして部品点数を削減でき、これにより製造工程を簡略化できるので、製造コストを抑えてさらに安価に製造することができる。
【００２１】
請求項３の発明では、請求項１の発明の構成に加えて、前記ガイド手段は、前記カバーの前後方向に交差する面内で前記弾性体の付勢方向と直交する方向において前記扉体の両端側に形成された溝部と、前記カバーの前後方向に交差する面内で前記付勢方向と直交する方向に突出して、前記付勢方向にいくにしたがって前記カバーの前壁に近付くように傾斜し、前記溝部にそれぞれ摺動自在に嵌め合わされる突部とから構成されていることを特徴とする扉付きコンセント装置とした。
【００２２】
請求項３の発明によれば、扉体に設けた溝部と、該溝部に摺動自在に嵌め合わされる突部とからガイド手段が構成されているので、開閉動作中に扉体がカバーから外れてしまうことがなくなり、これによりさらに安定した開閉動作を行うことができるようになる。
【００２３】
請求項４の発明では、請求項１の発明の構成に加えて、前記ガイド手段は、前記カバーの前後方向に交差する面内で前記弾性体の付勢方向と直交する方向において前記扉体の両端側にそれぞれ前記付勢方向に離間して突設された一対の突部と、前記付勢方向にいくにしたがって前記カバーの前壁に近付くように傾斜し、前記突部がそれぞれ摺動自在に当接される斜面部とから構成されていることを特徴とする扉付きコンセント装置とした。
【００２４】
請求項４の発明によれば、扉体の両端側に各一対、合計４つのガイド手段を備えているので、栓刃挿入時に、扉体ががたつくことがなくなり、さらに安定した開閉動作を行うことができるようになる。
【００２５】
請求項５の発明では、請求項１乃至４のいずれか１項の発明の構成に加えて、前記扉体が前記一対の栓刃挿入孔を遮蔽している状態で、一方の栓刃挿入孔を介した外力により前記扉体が傾斜した際に、他方の栓刃挿入孔側において前記扉体を引掛係止して、前記扉体が前記弾性体の付勢に抗する方向へ移動することを規制する規制手段を、各栓刃挿入孔に対応して設けていることを特徴とする扉付きコンセント装置とした。
【００２６】
請求項５の発明によれば、例えば一方の栓刃挿入孔からプラグの栓刃や工具等を差し込んで扉体を移動させようとしても、扉体がプラグの栓刃や工具等による外力を受けて傾斜した際には、規制手段が扉体を引掛係止して、扉体が弾性体の付勢に抗して移動することを規制するので、扉体が移動しないようになっており、例えばプラグの栓刃の片刃挿入やいたずら等による感電を防止することができる。
【００２７】
請求項６の発明では、請求項１乃至５のいずれか１項の発明の構成に加えて、面方向が前記付勢方向を向いた前記扉体の側面部の後方に、前記扉体の押し込み量を規制する規制突起を設けたことを特徴とする扉付きコンセント装置とした。
【００２８】
請求項６の発明によれば、例えば一方の栓刃挿入孔からプラグの栓刃や工具等を差し込んで扉体を押圧して、扉体に過剰な外力がかけられたとしても、扉体の押し込み量を規制する規制突起によって扉体が支持されるから、扉体の破損を防止することができる。また、この規制突起は、面方向が弾性体の付勢方向を向いた扉体の側面部の後方に設けられているので、栓刃挿入孔の開閉に際しても規制突起が扉体の移動の邪魔になることがない。
【００２９】
請求項７の発明では、請求項１乃至６のいずれか１項の発明の構成に加えて、前記一対の刃受部には前記プラグの栓刃の先端に形成された透孔に係合する係合突起が形成され、前記ボディには接地極用の刃受部が収納され、前記カバーには前記接地極用の刃受部にプラグの接地極用の栓刃を接続するための接地極用の栓刃挿入孔が形成され、前記接地極用の栓刃挿入孔には前記接地極用の栓刃の挿抜によって開閉する接地極用の扉体が設けられており、前記接地極用の扉体は、通常接地極用の弾性体により前記接地極用の栓刃挿入孔を遮蔽する位置に付勢され、前記接地極用の栓刃により前記カバーの後方へ押し込まれると前記接地極用の弾性体を撓ませる位置に位置することを特徴とする扉付きコンセント装置とした。
【００３０】
請求項７の発明によれば、上記の請求項１乃至６のいずれか１項の効果を奏する接地極を備えたプラグ用の扉付き抜け止めコンセント装置を得ることができる。
【発明の効果】
【００３１】
本発明は、扉付きコンセント装置に必要な部品点数を削減でき、これにより製造工程を簡略化することができるから、製造コストを抑えて安価に製造することができるという効果があり、また、弾性体が破損したり所定位置から外れたりして開閉動作を正しく行えなくなるというおそれがなく、これにより安定した開閉動作を行うことができるようになるという効果がある。
【発明を実施するための最良の形態】
【００３２】
以下、本発明の扉付きコンセント装置１の実施形態について図１乃至図１８を参照して説明する。尚、図１（ａ）における上方を扉付きコンセント装置１の前方、右方を装置１の一端側、左方を装置１の他端側、下方を装置１の後方、紙面に直交する方向を装置１の幅方向とする。
【００３３】
（実施形態１）
本実施形態の扉付きコンセント装置１は、前面が開口した箱状のボディ２と、ボディ２に収納され、プラグ３（図６（ｂ）参照）の一対の電源用の栓刃３ａ，３ａがそれぞれ接続される一対の電源用の刃受部４，４と、プラグ３の接地極用の栓刃３ｂ（図６（ｂ）参照）が接続される接地極用の刃受部５（図３（ｂ）参照）と、前壁に一対の電源用の栓刃挿入孔７ａ，７ｂ、及び接地極用の栓刃挿入孔７ｃを有してボディ２の前面に被着されるカバー６と、カバー６の前壁の後方に位置して一対の電源用の栓刃挿入孔７ａ，７ｂを開閉する扉体１０と、該扉体１０のカバー６の前後方向（図１（ａ）における上下方向）に対して交差する方向（図１（ａ）における左右方向）の一端面（図１（ａ）における右端面）が腕部１１ｂ，１１ｂにカバー６の前後方向に摺動自在に当接されて、扉体１０が一対の電源用の栓刃挿入孔７ａ，７ｂを遮蔽するように扉体１０を他端側（図１（ａ）の左方）へ付勢する弾性体１１と、一対の電源用の栓刃挿入孔７ａ，７ｂをそれぞれ挿通した一対の電源用の栓刃３ａ，３ａにより扉体１０がカバー６の後方へ押し込まれた際に、扉体１０を一端側（図１（ａ）の右方）に誘導するガイド手段を構成する突部２３及び斜面部２６ａと、接地極用の栓刃挿入孔７ｃを接地極用の栓刃３ｂの挿抜によって開閉する接地極用の扉体１２とを具備している。
【００３４】
ボディ２は、図１（ａ）に示すように、例えば合成樹脂を用いて前面が開口した箱状に形成されており、その内部は仕切り壁２ａ等によって仕切られて、一対の電源用の刃受部４，４がそれぞれ収納される一対の電源用の収納部２ｂ，２ｂと、接地極用の刃受部５（図３（ｂ）参照）が収納される接地極用の収納部２ｃ（図３（ｂ）参照）が形成されている。また、各電源用の収納部２ｂには、例えば外部電源の電源線（図示せず）を収納部２ｂ内へ挿入するための電源線挿入孔（図示せず）が形成されており、電源用の収納部２ｂには、前記電源線を接触接続するための速結端子等の端子部（図示せず）が刃受部４とともに収納されて、刃受部４と電気的に接続されている。同様に、接地極用の収納部２ｃには、例えば外部の接地線（図示せず）を収納部２ｃ内へ挿入するための接地線挿入孔（図示せず）が形成されており、接地極用の収納部２ｃには、前記接地線を接触接続するための速結端子等の端子部（図示せず）が接地極用の刃受部５とともに収納されて、接地極用の刃受部５と電気的に接続されている。
【００３５】
電源用の刃受部４は、図１（ａ）に示すように、弾性を有して互いに対向する一対のばね片４ａ，４ｂと、両ばね片４ａ，４ｂの基端部を一体に連結する連結部４ｃとを備えて導電性の金属板から形成されており、一対のばね片４ａ，４ｂでプラグ３の電源用の栓刃３ａを弾性狭持して電気的接触を得るものである。一対のばね片４ａ，４ｂは、先部が栓刃３ａの挿抜方向に対して交差する方向に湾曲した略円弧状に形成されるとともに、先端部が互いに離間する方向へ開かれて、栓刃３ａを挿入し易く形成されている。また、一方のばね片４ｂには、栓刃３ａの先端部に形成された透孔に係合する係合突起（図示せず）が形成されており、この係合突起によれば、栓刃３ａを刃受部４に接触接続した後に、プラグ３をその挿抜方向に交差する面内で回動させて、栓刃３ａの透孔を係合突起に係合させることで、プラグ３の抜け止めを行うことができ、これにより不意に栓刃３ａが刃受部４から抜けないようにすることができる。
【００３６】
接地極用の刃受部５は、図３（ｂ）に示すように、弾性を有して互いに対向する一対のばね片５ａ，５ｂと、両ばね片５ａ，５ｂの基端部を一体に連結する連結部５ｃとを備えて導電性の金属板から形成されており、一対のばね片５ａ，５ｂで接地極用の栓刃３ｂを弾性狭持して電気的接触を得るものである。一対のばね片５ａ，５ｂは、先部が栓刃３ｂの挿抜方向に対して交差する方向に湾曲した略円弧状に形成されるとともに、先端部が互いに離間する方向へ開かれて、栓刃３ｂを挿入し易くしてある。
【００３７】
カバー６は、図１（ａ）に示すように、ボディ２の前面に被着されるものであり、図２に示すように、後面が全面に亘って開口し、前壁に一対の電源用の栓刃挿入孔７ａ，７ｂ、及び接地極用の栓刃挿入孔７ｃが形成された前部カバー７、及び前部カバー７の開口した後面に取り付けられて各栓刃挿入孔７ａ，７ｂ，７ｃとそれぞれ連通する挿通孔８ａ，８ｂ，８ｃが形成された後部カバー８からなるカバー本体９に、電源用の栓刃挿入孔７ａ，７ｂを開閉する電源用の扉体１０と、電源用の扉体１０を付勢する電源用の弾性体１１と、接地極用の栓刃挿入孔７ｃを開閉する接地極用の扉体１２と、接地極用の扉体１２を付勢する接地極用の弾性体１３とが収納されて構成されている。
【００３８】
前部カバー７は、例えば合成樹脂を用いて、後面が全面に亘って開口した箱状に形成されており、カバー６の前壁となる前部カバー７の前壁には、一端側に略円弧状の電源用の栓刃挿入孔７ａと、他端側に略円弧状の電源用の栓刃挿入孔７ｂとが互いに点対称且つ同一円周上に位置するように形成され、両栓刃挿入孔７ａ，７ｂの側方（図２における右上方）には、略円弧状の接地極用の栓刃挿入孔７ｃが形成されている。また、前部カバー７の内部は、図４に示すように、仕切り壁７ｄ，７ｄによって、一対の電源用の栓刃挿入孔７ａ，７ｂ側の第１の収納部１４ａと、接地極用の栓刃挿入孔７ｃ側の第２の収納部１４ｂとに分けられている。この第１の収納部１４ａには、電源用の扉体１０及び弾性体１１が収納され、第２の収納部１４ｂには、接地用の扉体１２及び弾性体１３が収納される。また、第１の収納部１４ａの長手方向の一端側（図４における左方）には、弾性体１１を位置決めするための一対の円柱状の突部１５，１５と、栓刃挿入孔７ｂを介した外力が扉体１０にかかった際に扉体１０が移動しないように規制する規制手段である一対の突部１６，１６が突設されており、長手方向の他端側（図４における右方）には、栓刃挿入孔７ａを介した外力が扉体１０にかかった際に扉体１０が移動しないように規制する規制手段である直方体状の突部１７が突設されている。一方、第２の収納部１４ｂには、接地極用の栓刃挿入孔７ｃに前部カバー７の外方から隣接して、第２の収納部１４ｂの長手方向に走る溝部１８が形成されており、第２の収納部１４ｂの長手方向における溝部１８の両端部付近には略コ字状の軸受部１９，１９が前部カバー７から後方へ向けて突設されている。尚、図１（ａ）に示すように前部カバー７の両端側の内壁面部には、後部カバー８を前部カバー７に取り付ける際に用いられる係止凹部２０がそれぞれ形成されている。
【００３９】
電源用の扉体１０は、例えば合成樹脂を用いて、互いに並行する一対の長尺状の片部１０ａ，１０ａと、両片部１０ａ，１０ａをそれぞれの長手方向の一端部、略中央部、他端部同士で一体に連結する橋絡部１０ｂ，１０ｃ，１０ｄとからなる略日字状に形成され、一対の片部１０ａ，１０ａと橋絡部１０ｂ，１０ｃとで囲まれた第１の窓部２１ａと、一対の片部１０ａ，１０ａと橋絡部１０ｃ，１０ｄとで囲まれた第２の窓部２１ｂとを有している。また橋絡部１０ｂ，１０ｃの前面部には一対の電源用の栓刃挿入孔７ａ，７ｂとそれぞれ嵌合する略円弧状の電源用の遮蔽部２２ａ，２２ｂが突設されており、第１の窓部２１ａの内周面となる各片部１０ａ，１０ａの側面には、それぞれスライド軸となる突部２３，２３が互いに同軸且つ近接する方向に突設されている。
【００４０】
電源用の弾性体１１は、例えば弾性を有する金属板から、平板部１１ａと、平板部１１ａの両端部を平板部１１ａに対して鋭角方向且つ平板部１１ａと重複するように折り曲げてなる腕部１１ｂ，１１ｂとを備えて略ム字状に折り曲げ形成された板ばねである。
【００４１】
接地極用の扉体１２は、例えば合成樹脂から形成されて、前部カバー７の軸受部１９に回動自在に支持される円柱状の軸部１２ａと、軸部１２ａに一体に突設された平板部１２ｂとを備え、この平板部１２ｂの前面部には前部カバー７の接地極用の栓刃挿入孔７ｃと嵌合する略円弧状の接地極用の遮蔽部１２ｃが突設されている。
【００４２】
接地極用の弾性体１３は、所謂ねじりコイルばねであり、コイル部１３ａの一端から延設された腕部１３ｂと、コイル部１３ａの他端から延設された腕部１３ｃとが略１８０度の曲げ角度となるように形成してあり、腕部１３ｃの先端部をコイル部１３ａの中心軸に添う方向へ向けて折り曲げてある。
【００４３】
後部カバー８は、例えば合成樹脂から形成されて、前部カバー７の開口した後面に位置して前部カバー７の各収納部１４ａ，１４ｂに収納される扉体１０，１２、弾性体１１，１３の押え板となる平板部２４と、平板部２４の裏部に突設され、ボディ２の開口した前面に被着されてボディ２の各収納部２ｂ，２ｂ，２ｃから前方へ突出した各刃受部４，４，５の先端部を各別に収納する凹部２５ａ，２５ａ，２５ｂを備えた箱状の突設部２５とを有している。
【００４４】
平板部２４は、図２に示すように、前部カバー７の挿入孔７ａ，７ｂ，７ｃに対応する位置に、挿通孔８ａ，８ｂ，８ｃが形成されており、後部カバー８を前部カバー７に取り付けた際には、挿入孔７ａ，７ｂ，７ｃと挿通孔８ａ，８ｂ，８ｃがそれぞれ連通してプラグの栓刃３ａ，３ａ，３ｂがカバー６を挿通できるようになっている。また、平板部２４の前面部において、一対の挿通孔８ａ，８ｂ間の部位には、平板部２４の一端側（図２の右下方）から他端側（図２の左上方）へいくにしたがって前方に傾斜した斜面部２６ａを備えた三角形状のスライドリブ２６が、斜面部２６ａの幅方向に離間して一対突設されている。尚、このスライドリブ２６は他端側が斜面部２６ａの幅方向において肉厚に形成されており、これによりスライドリブ２６の強度の向上が図られている。さらに、平板部２４の前面部において、挿通孔８ｃの一端側及び他端側の周辺部には、接地極用の扉体１２の軸部１２ａを支持するための略コ字形の支持台２７，２７が突設されており、加えて、平板部２４の前面部の両端側の略中央部には、前部カバー７の係止凹部２０に引掛係止される係止突部２８，２８が突設され、この係止突部２８を前部カバー７の係止凹部２０に引掛係止することで前部カバー７に後部カバー８が取り付けられることになる。
【００４５】
突設部２５は、後面が開口した略箱状を有し、内部には、図１に示すように、ボディ２の各収納部２ｂ，２ｂ，２ｃから前方へ突出した各刃受部４，４，５の先端部を各別に収納するための凹部２５ａ，２５ａ，２５ｂが形成されている。加えて各凹部２５ａ，２５ａ，２５ｂは、平板部２４の挿通孔８ａ，８ｂ，８ｃとそれぞれ連通している。
【００４６】
本実施形態の扉付きコンセント装置１は、上記の部材により構成されており、各部材は次のようにして配置、収納されている。
【００４７】
まず、ボディ２は、その各電源用の収納部２ｂ，２ｂに、電源用の刃受部４，４と、該刃受部４，４と各別に電気的に接続されて外部電源の電源線と接続される端子部（図示せず）とがそれぞれ収納され、また、接地極用の収納部２ｃに、接地極用の刃受部５と、該刃受部５と電気的に接続されて外部の接地線と接続される端子部（図示せず）とが収納されている。
【００４８】
次にカバー６は、前部カバー７及び後部カバー８からなるカバー本体９に、電源用の扉体１０と、電源用の弾性体１１と、接地極用の扉体１２と、接地極用の弾性体１３とが以下のようにして組み込まれている。すなわち、前部カバー７の第１の収納部１４ａには、図１（ａ）に示すように、電源用の弾性体１１が、腕部１１ｂをカバー６の他端側へ向けるとともに、平板部１１ａが突部１５，１５に固定されて収納されており、また電源用の扉体１０が、その一端面となる橋絡部１０ｂの一端側の側面部を弾性体１１の両腕部１１ｂにカバー６の前後方向に摺動自在に当接させて、遮蔽部２２ａ，２２ｂで一対の栓刃挿入孔７ａ，７ｂを遮蔽するようにして収納されている。このとき、遮蔽部２２ａ，２２ｂは前部カバー７の電源用の栓刃挿入孔７ａ，７ｂに嵌合しており、また前部カバー７の各突部１６が扉体１０の橋絡部１０ｂの一端側の側面部に近接するとともに、突部１７が第２の窓部２１ｂ内において扉体１０の橋絡部１０ｄの一端側の側面部に近接している。このように配置された扉体１０において、突部２３，２３は、カバー６の前後方向に交差する面内で弾性体１１の付勢方向と直交する方向に突出することになる。
【００４９】
一方、前部カバー７の第２の収納部１４ｂには、接地極用の扉体１２が、軸部１２ａを溝部１８に位置させるとともに軸受部１９，１９によって回転自在に支持され、遮蔽部１２ｃが接地極用の栓刃挿入孔７ｃに嵌合するようにして収納されている。この扉体１２の軸部１２ａには接地極用の弾性体１３のコイル部１３ａが嵌着してあり、弾性体１３は、腕部１３ｂが前部カバー７の前壁の後面部に当接するとともに、腕部１３ｃが扉体１２の平板部１２ｂの後面部に当接するように配置されて、軸部１２ａを回転中心として扉体１２の平板部１２ｂを前部カバー７に向かって回転するように付勢している。
【００５０】
このようにして前部カバー７には、扉体１０，１２、弾性体１１，１３が配置収納されており、前部カバー７の開口した後面には後部カバー８が、係止突部２８を前部カバー７の係止凹部２０に引掛係止することで前部カバー７に後部カバー８が取り付けられている。このとき、後部カバー８の一対のスライドリブ２６は、扉体１０の第１の窓部２１ａ内に位置して、図１（ａ）に示すように、各スライドリブ２６の斜面部２６ａ，２６ａの他端側に、扉体１０の一対の突部２３，２３が各別に当接されており、このように突部２３が斜面部２６ａに摺動自在に当接することで、扉体１０がカバー６の後方へ押し込まれた際に、扉体１０を一端側（図１（ａ）の右方）に誘導するガイド手段が構成されている。また、支持台２７，２７は、その先部で扉体１２の軸部１２ａを回転自在に支持しており、各挿通孔８ａ，８ｂ，８ｃは、前部カバー７の栓刃挿入孔７ａ，７ｂ，７ｃの後方に位置している。そして、後部カバー８の突設部２５が、その凹部２５ａ，２５ａ，２５ｂに、ボディ２から突出した各刃受部４，４，５の先端部を各別に収納して、ボディ２の開口した前面に取り付けられることで、カバー６がボディ２の前面に被着されているのである。
【００５１】
扉付きコンセント装置１の各部材は上記のように配置されており、次に扉付きコンセント装置１の動作について説明する。
【００５２】
図１（ａ）、及び図３（ａ）は、扉付きコンセント装置１にプラグ３の栓刃３ａ，３ａ，３ｂを差し込む前、すなわち通常時の扉付きコンセント装置１を示している。この通常時において、電源用の扉体１０は、弾性体１１にカバー６の前後方向に摺動自在に当接しているので、扉体１０の前後位置によらずに弾性体１１によって他端側（図１（ａ）の左方）へ付勢されており、そのため扉体１０の突部２３は、スライドリブ２６の斜面部２６ａの他端側に位置している。ここで、斜面部２６ａは上述したように一端側から他端側にかけてカバー６の前方に向かうように傾斜しているので、扉体１０はカバー６の前壁の後方に近接し、このとき扉体１０の遮蔽部２２ａ，２２ｂが電源用の栓刃挿入孔７ａ，７ｂと嵌合するから、両栓刃挿入孔７ａ，７ｂが扉体１０により遮蔽されている。また、接地極用の扉体１２は、上記の弾性体１３により軸部１２ａを回転中心として前部カバー７に向けて回転するように付勢されているため、平板部１２ｂが接地極用の栓刃挿入孔７ｂの後方に位置し、このとき遮蔽部１２ｃが接地極用の線刃挿入孔７ｃと嵌合するから、栓刃挿入孔７ｃが扉体１２により遮蔽されている。
【００５３】
図１（ｂ）、及び図３（ｂ）は、扉付きコンセント装置１にプラグ３の栓刃３ａ，３ａ，３ｂを差し込んだ際の扉付きコンセント装置１を示している。扉付きコンセント装置１にプラグ３を接続する際には、プラグ３の電源用の栓刃３ａ，３ａを電源用の栓刃挿入孔７ａ，７ｂから、プラグの接地極用の栓刃３ｂを接地極用の栓刃挿入孔７ｃからカバー６内に差し入れて、栓刃３ａ，３ａにより扉体１０をカバー６の後方へ向けて押し込むとともに、栓刃３ｂにより扉体１２をカバー６の後方へ向けて押し込んでいく。このように電源用の扉体１０が栓刃３ａ，３ａによりカバー６の後方へ押し込まれると、突部２３がスライドリブ２６の斜面部２６ａに沿ってカバー６の一端側へ摺動していくことになる。すなわち、扉体１０は、突部２３と斜面部２６ａとから構成されたガイド手段によって、弾性体１１を撓ませる方向へと誘導されるのである。そして扉体１０が弾性体１１の付勢に抗して一端側に移動していくと、やがて、図１（ｂ）や図３（ｂ）に示すように、遮蔽部２２ａ，２２ｂが栓刃挿入孔７ａ，７ｂの後方から一端側にずれて、扉体１０の窓部２１ａ，２１ｂが栓刃挿入孔７ａ，７ｂの後方に位置し、これにより栓刃挿入孔７ａ，７ｂと挿通孔８ａ，８ｂとが連通するから、栓刃３ａ，３ａを刃受部４，４に接触接続することができるようになる。このようにして扉体１０はカバー６の前壁に対して斜め後方向に並行移動し、この扉体１０の移動によって栓刃挿入孔７ａ，７ｂが開閉するのである。また、接地極用の扉体１２がカバー６の後方へ押し込まれると、弾性体１３による付勢に抗して、平板部１２ｂが軸部１２ａを中心としてカバー６の後方へ回転していき、やがて、図３（ｂ）に示すように、平板部１２ｂが接地極用の栓刃挿入孔７ｃを遮蔽しない位置に移動し、これにより栓刃挿入孔７ｃと挿通孔８ｃとが連通するから、栓刃３ｂを刃受部５に接触接続することができるようになる。
【００５４】
一方、この扉付きコンセント装置１は、栓刃挿入孔７ａ，７ｂ，７ｃ、挿通孔８ａ，８ｂ，８ｃ、及び刃受部４，４，５の先端部がそれぞれ略円弧状に形成されるとともに、刃受部４，４のばね片４ｂ，４ｂにプラグ３の栓刃３ａ，３ａの先端部に形成された透孔に係合する係合突起（図示せず）を備えた、所謂接地極付きの抜け止め型コンセントであり、プラグ３の栓刃３ａ，３ａ，３ｂを接触接続した際に、プラグ３の挿抜方向を軸としてプラグ３を所定距離回転させることで、栓刃３ａ，３ａの透孔を前記係合突起に係合させておけば、プラグ３が扉付きコンセント装置１から不意に抜けてしまうことを防止することができるようになっている。
【００５５】
プラグ３を扉付きコンセント装置１に接続した後、プラグ３の栓刃３ａ，３ａ，３ｂを扉付きコンセント装置１から引き抜いた場合、扉体１０は、栓刃３ａ，３ａによる押し込み方向の外力がかからないために、弾性体１１によって他端側へ付勢され、これにより突部２３がスライドリブ２６の斜面部２６ａに沿って他端側へ摺動するから、扉体１０は前方へと押し上げられて、図１（ａ）及び図３（ａ）に示す上述の通常時の位置に復帰する。また、扉体１２も同様に栓刃３ｂによる押し込み方向の外力がかからなくなるため、弾性体１３により軸部１２ａを回転中心として前部カバー７に向けて回転するように付勢されて、図１（ａ）及び図３（ａ）に示す上述の通常時の位置に復帰するのである。
【００５６】
本実施形態の扉付きコンセント装置１によれば、扉体１０をカバー６の前壁に対して斜め方向に並行移動させることによる栓刃挿入孔７ａ，７ｂの開閉動作を、図１９及び図２０に示す従来の扉付きコンセント装置のように複数の弾性体、コイルスプリング１０６及び板ばね１０７を用いることなく、一つの弾性体１１を用いて行うことができるために、扉付きコンセント装置１に必要な部品点数を削減でき、これにより製造工程を簡略化できるから、製造コストを抑えて安価に製造することができる。また、従来のように弾性体自体をその付勢方向に直交する方向に摺動させるのではなく、弾性体１１に扉体１０を前後方向に摺動自由に当接させているから、弾性体１１がその付勢方向に対して交差する方向に曲げられることがなくなるため、弾性体１１が破損したり所定位置から外れたりして栓刃挿入孔７ａ，７ｂの開閉動作を正しく行えなくなるというおそれがなく、これにより安定した開閉動作を行うことができるようになる。加えて、扉体１０に突設した突部２３，２３と、該突部２３，２３が摺動自在に当接される斜面部２６ａ，２６ａとの簡単な構成から、扉体１０をカバー６の前壁に対して斜め方向に並行移動させるガイド手段を得ることができるから、扉付きコンセント装置１の構成部品を少なくして部品点数を削減でき、これにより製造工程を簡略化することができるので、製造コストを抑えてさらに安価に製造することができる。
【００５７】
ところで、図１９及び図２０に示した上述の従来技術の扉付きコンセント装置は、接地極を備えていないコンセントの例であったが、例えば、図５（ａ）に示すような、矩形状の一対の電源用の栓刃挿入孔２９ａ，２９ａ及び略矩形状の接地極用の栓刃挿入孔２９ｂを有する接地極付きの平型コンセント２９や、図５（ｂ）に示すような、それぞれ略円弧状の電源用の栓刃挿入孔３０ａ，３０ａ及び接地極用の栓刃挿入孔３０ｂを有する抜け止め型コンセント３０に適用した場合、プラグ３の電源用の栓刃３ａと接地極用の栓刃３ｂとが板ばね１０７を介して短絡するおそれがあった。例えば、接地極付きの抜け止め型コンセントでもある本実施形態の扉付きコンセント装置１において、弾性体１１の替わりに上記の従来技術のコイルスプリング１０６と板ばね１０７とを用いた構成とした場合、カバー６の内部構造は図６（ａ）に示すようになる。尚、同様の構成については同一の符号を付して説明を省略する。すなわち、上記の従来構成を適用したコンセント装置１０９は、図６（ａ）に示すように、扉体１０をカバー６の前後方向に直交する方向に付勢する手段としてコイルスプリング１０６を備え、扉体１０をカバー６の前方へ付勢する手段として略コ字状の板ばね１０７を備えているものである。この板ばね１０７は、扉体１０をカバー６の前方へ付勢するために、扉体１０の片部１０ａ，１０ａと橋絡部１０ｂとに重複して扉体１０の後方に配置されるために、栓刃３ａ，３ａ，３ｂと板ばね１０７との距離が非常に近く、このために栓刃３ａ，３ｂが板ばね１０７を介して短絡するおそれが生じているのである。特に抜け止め型コンセント３０では、図５（ａ），（ｂ）に示すように、プラグ３の抜け止めを行うために各栓刃挿入孔３０ａ，３０ｂが平型コンセント２９の各栓刃挿入孔２９ａ，２９ｂに比べて大きく形成されており、加えてプラグ３の栓刃３ａ，３ａ，３ｂをプラグの挿抜方向を軸として回転させた際に、栓刃３ａ，３ｂが板ばね１０７にさらに接近することになってしまうのである。これに対し、本実施形態の扉付きコンセント装置１は、図６（ｂ）に示すように、弾性体１１が、扉体１０の一端側に位置して各栓刃３ａ，３ａ，３ｂと十分に離れているから、栓刃３ａ，３ｂが弾性体１１によって短絡してしまうことがなく、この点においても上述の従来技術よりも優れた効果を奏することができるのである。
【００５８】
また、本実施形態の扉付きコンセント装置１では、一対の栓刃挿入孔７ａ，７ｂのうちいずれか一方にのみ栓刃や工具を差し込んでも栓刃挿入孔７ａ，７ｂが開閉しない、所謂片刃挿入防止が図られており、扉体１０の遮蔽部２２ａ，２２ｂ、前部カバー７の一対の突部１６，１６、及び突部１７が、片刃挿入防止のための規制手段となっている。
【００５９】
例えば、図７（ａ）に示すように、栓刃挿入孔７ａにのみ栓刃３ａが差し込まれた場合、扉体１０の遮蔽部２２ａのみが栓刃３ａにより押し込まれるため、扉体１０は、栓刃挿入孔７ａ側においてカバー６の後方へと沈み、栓刃挿入孔７ｂ側においてカバー６の前方へと押しつけられるように傾斜する。このとき、栓刃挿入孔７ｂに嵌合している遮蔽部２２ｂの一端側の側面部が栓刃挿入孔７ｂの一端側の内側面部に引っ掛かるとともに、突部１７の他端側の側面部が橋絡部１０ｄの一端側の側面部に引っ掛かり、これら遮蔽部２２ｂ及び突部１７によって扉体１０が引掛係止されることになるから、扉体１０が弾性体１１の付勢に抗してカバー６の一端側へ移動することが規制され、これにより扉体１０が開くことを防止することができる。
【００６０】
逆に、図７（ｂ）に示すように、栓刃挿入孔７ｂにのみ栓刃３ａが差し込まれた場合、扉体１０の遮蔽部２２ｂのみが栓刃３ａにより押し込まれるため、扉体１０は、栓刃挿入孔７ｂ側においてカバー６の後方へと沈み、栓刃挿入孔７ａ側においてカバー６の前方へと押しつけられるように傾斜する。このとき、栓刃挿入孔７ａに嵌合している遮蔽部２２ａの一端側の側面部が栓刃挿入孔７ａの一端側の内側面部に引っ掛かるとともに、突部１６，１６の他端側の側面部が橋絡部１０ｂの一端側の側面部に引っ掛かり、これら遮蔽部２２ａ及び突部１６，１６によって扉体１０が引掛係止されることになるから、扉体１０が弾性体１１の付勢に抗してカバー６の一端側へ移動することが規制され、これにより扉体１０が開くことを防止することができる。
【００６１】
このような規制手段によれば、仮に一方の栓刃挿入孔からプラグの栓刃や工具等を差し込んで栓刃挿入孔を開けようとしても、扉体１０がプラグの栓刃や工具等による外力を受けて傾斜した際には、規制手段が扉体１０を引掛係止して、扉体１０が弾性体１１の付勢に抗して移動することを規制するので、扉体１０が移動しないようになっており、例えばプラグの栓刃の片刃挿入やいたずら等による感電を防止することができる。
【００６２】
上記の扉付きコンセント装置１では、各栓刃挿入孔７ａ，７ｂに対応して扉体１０がそれぞれ２箇所で規制手段により引掛係止されることになるが、図８乃至図１０に示すように、扉体１０に遮蔽部２２ａ，２２ｂを形成せずに、前部カバー７に突部１６，１６，１７のみを形成して、規制手段を各栓刃挿入孔７ａ，７ｂに対応して１箇所ずつ設ける構成としてもよく、以下にこの構成における片刃挿入時の動作について説明する。
【００６３】
例えば、図１０（ａ）に示すように、栓刃挿入孔７ａにのみ栓刃３ａが差し込まれた場合、扉体１０の橋絡部１０ｂのみが栓刃３ａにより押し込まれるため、扉体１０は、栓刃挿入孔７ａ側においてカバー６の後方へと沈み、栓刃挿入孔７ｂ側においてカバー６の前方へと押しつけられるように傾斜し、このとき突部１７の他端側の側面部が橋絡部１０ｄの一端側の側面部に引っ掛かることによって扉体１０が引掛係止されることになるから、扉体１０が弾性体１１の付勢に抗してカバー６の一端側へ移動することが規制され、これにより扉体１０が開くことを防止することができる。
【００６４】
逆に、図１０（ｂ）に示すように、栓刃挿入孔７ｂにのみ栓刃３ａが差し込まれた場合は、扉体１０の橋絡部１０ｃのみが栓刃３ａにより押し込まれるため、扉体１０は、栓刃挿入孔７ｂ側においてカバー６の後方へと沈み、栓刃挿入孔７ａ側においてカバー６の前方へと押しつけられるように傾斜し、このとき突部１６，１６の他端側の側面部が橋絡部１０ｂの一端側の側面部に引っ掛かることによって扉体１０が引掛係止されることになるから、扉体１０が弾性体１１の付勢に抗してカバー６の一端側へ移動することが規制され、これにより扉体１０が開くことを防止することができる。
【００６５】
このように、規制手段は各栓刃挿入孔７ａ，７ｂに対応して少なくとも１箇所ずつ設けられていれば片刃挿入防止の効果を得ることができる。
【００６６】
尚、本実施形態の扉付きコンセント装置１は、例えば図１１に示すように、長手方向に４つの扉付きコンセント装置１を並設したテーブルタップ３１に用いることができ、また、このようなテーブルタップ３１に限らず様々な配線器具に用いることができる。
【００６７】
（実施形態２）
本実施形態の扉付きコンセント装置１は、上記の実施形態１に比べて、後部カバー８の構成に特徴があり、その他の構成は上記の実施形態１と略同様なので同一の符号を付して説明を省略する。
【００６８】
すなわち、本実施形態の扉付きコンセント装置１の後部カバー８は、図１２に示すように、平板部２４の挿通孔８ｂの他端側に、一端側から他端側にいくにしたがって前方に傾斜した斜面部３２ａを備えた三角形状の扉破損防止用リブ３２が、斜面部３２ａの幅方向に離間して一対突設してある。この後部カバー８は上記の実施形態１と同様にして前部カバー７に取り付けられており、このとき扉破損防止用リブ３２，３２は、図１３（ａ）に示すように、扉体１０の橋絡部１０ｄの他端側の側面部の後方に位置し、扉体１０のカバー６後方への押し込み量を規制する規制突起となっている。
【００６９】
この扉破損防止用リブ３２によれば、例えば図１３（ａ）に示すように、栓刃挿入孔７ｂのみに栓刃３ａを差し込んだ、所謂片刃挿入時に、栓刃３ａによって扉体１０に過剰な外力がかけられたとしても、扉体１０の橋絡部１０ｄの後面部が扉破損防止用リブ３２の斜面部３２ａの他端部に当接して該扉破損防止用リブ３２に支持されることになるから、扉体１０のカバー６後方への押し込み量が規制され、これにより扉体１０の突部２３，２３や片部１０ａ，１０ａ等の破損を防止することができる。
【００７０】
加えて、仮に扉体１０の突部２３，２３が破損してしまったとしても、扉破損防止用リブ３２は、スライドリブ２６の斜面部２６ａと同様の、一端側から他端側にいくにしたがって前方に傾斜した斜面部３２ａを備えているので、図１３（ｂ）に示すように、扉破損用防止リブ３２の斜面部３２ａと扉体１０の橋絡部１０ｄとで、扉体１０をカバー６の一端側へ誘導する上記のガイド手段が構成されることになり、このガイド手段によって扉体１０を移動させて栓刃挿入孔７ａ，７ｂを開閉することができるようになっているのである。
【００７１】
本実施形態の扉付きコンセント装置１によれば、扉体１０の押し込み量を規制する規制突起として扉破損防止用リブ３２を設けてあるので、プラグ３の栓刃３ａの片刃挿入時に、栓刃３ａによって扉体１０に過剰な外力がかけられても、扉破損防止用リブ３２によって扉体１０が支持されて扉体１０の押し込み量が規制されるから、扉体１０の破損を防止することができる。また、この破損防止用リブ３２は、面方向が弾性体１１の付勢方向を向いた扉体１０の側面部を有する橋絡部１０ｄの後方に設けられているので、扉体１０の開閉に際しても邪魔になることがない。加えて、扉破損防止用リブ３２の斜面部３２ａと橋絡部１０ｄとで予備のガイド手段が構成されることになるため、例えば不測の事態により突部２３が破損して、突部２３とスライドリブ２６の斜面部２６ａとからなるガイド手段が機能しなくなったとしても、上記の予備のガイド手段により扉体１０を誘導して、扉体１０による一対の栓刃挿入孔７ａ，７ｂの開閉を行うことができるのである。
【００７２】
（実施形態３）
本実施形態の扉付きコンセント装置１は、上記の実施形態１に比べて、扉体１０と後部カバー８の構成に特徴があり、その他の構成は上記の実施形態１と略同様なので同一の符号を付して説明を省略する。
【００７３】
本実施形態の扉体１０には、図１４に示すように、上記実施形態１の突部２３の替わりに、第１の窓部２１ａの内周面となる各片部１０ａ，１０ａの側面には、それぞれ一端側から他端側にかけて前方、すなわちカバー６の前壁へ近付く方向へ傾斜した溝部３３，３３が形成してある。
【００７４】
後部カバー８には、上記実施形態１の一対のスライドリブ２６，２６の替わりに、一対のガイドリブ３４，３４が形成してあり、このガイドリブ３４，３４は、各ガイドリブ３４，３４のカバー６の外方を向いた側面部に、カバー６の前後方向に交差する面内で弾性体１１の付勢方向と直交する方向に突出して、付勢方向、すなわち一端側から他端側にいくにしたがって前方へ傾斜し、溝部３３，３３にそれぞれ摺動自在に嵌め合わされる突部３４ａ，３４ａを備えている。
【００７５】
上記実施形態１では、扉体１０は、図１（ａ），（ｂ）に示すように、突部２３，２３を一対のスライドリブ２６，２６の斜面部２６ａ，２６ａに摺動自在に当接されており、これら突部２３と斜面部２６ａとから、扉体１０がカバー６の後方へ押し込まれた際に扉体１０を一端側へ誘導するガイド手段が構成されていたが、本実施形態では、扉体１０は、図１５（ａ），（ｂ）に示すように、溝部３３，３３に一対のガイドリブ３４，３４の突部３４ａ，３４ａが摺動自在に嵌め合わされており、これらガイドリブ３４の突部３４ａと扉体１０の溝部３３とからガイド手段が構成されているのである。
【００７６】
次に、本実施形態の扉付きコンセント装置１の動作について説明する。尚、接地極用の扉体１２については上記実施形態１と同様なので説明を省略する。
【００７７】
図１５（ａ）は、扉付きコンセント装置１にプラグ３の栓刃３ａ，３ａ，３ｂを差し込む前、すなわち通常時の扉付きコンセント装置１を示している。この通常時において、電源用の扉体１０は、弾性体１１にカバー６の前後方向に摺動自在に当接しているので、扉体１０の前後位置によらずに弾性体１１によって他端側（図１（ａ）の左方）へ付勢されており、そのため扉体１０の溝部３３は、ガイドリブ３４の突部３４ａの他端側に位置している。ここで、突部３４ａは上述したように一端側から他端側にかけてカバー６の前方に向かうように傾斜しているので、扉体１０はカバー６の前壁の後方に近接し、このとき扉体１０の遮蔽部２２ａ，２２ｂが電源用の栓刃挿入孔７ａ，７ｂと嵌合するから、両栓刃挿入孔７ａ，７ｂが扉体１０により遮蔽されている。
【００７８】
図１５（ｂ）は、扉付きコンセント装置１にプラグ３の栓刃３ａ，３ａ，３ｂを差し込んだ際の扉付きコンセント装置１を示している。扉付きコンセント装置１にプラグ３を接続する際には、プラグ３の電源用の栓刃３ａ，３ａを電源用の栓刃挿入孔７ａ，７ｂから、プラグの接地極用の栓刃３ｂを接地極用の栓刃挿入孔７ｃからカバー６内に差し入れて、栓刃３ａ，３ａにより扉体１０をカバー６の後方へ向けて押し込むとともに、栓刃３ｂにより扉体１２をカバー６の後方へ向けて押し込んでいく。このように電源用の扉体１０が栓刃３ａ，３ａによりカバー６の後方へ押し込まれると、溝部３３がガイドリブ３４の突部３４ａに沿ってカバー６の一端側へ摺動していくことになる。すなわち、扉体１０は、溝部３３と突部３４ａとから構成されたガイド手段によって、弾性体１１を撓ませる方向へと誘導されるのである。そして扉体１０が弾性体１１の付勢に抗して一端側に移動していくと、やがて、図１５（ｂ）に示すように、遮蔽部２２ａ，２２ｂが栓刃挿入孔７ａ，７ｂの後方から一端側にずれて、扉体１０の窓部２１ａ，２１ｂが栓刃挿入孔７ａ，７ｂの後方に位置し、これにより栓刃挿入孔７ａ，７ｂと挿通孔８ａ，８ｂとが連通するから、栓刃３ａ，３ａを刃受部４，４に接触接続することができるようになる。このようにして扉体１０はカバー６の前壁に対して斜め後方向に並行移動し、この扉体１０の移動によって栓刃挿入孔７ａ，７ｂが開閉するのである。
【００７９】
このようにしてプラグ３を扉付きコンセント装置１に接続した後、プラグ３の栓刃３ａ，３ａ，３ｂを扉付きコンセント装置１から引き抜いた場合、扉体１０は、栓刃３ａ，３ａによる押し込み方向の外力がかからないために、弾性体１１によって他端側へ付勢され、これにより溝部３３がガイドリブ３４の突部３４ａに沿って他端側へ摺動するから、扉体１０は前方へと押し上げられて、図１５（ａ）に示す上述の通常時の位置に復帰することになる。
【００８０】
また、本実施形態の扉付きコンセント装置１では、上記実施形態１の扉付きコンセント装置１と同様に、扉体１０の遮蔽部２２ａ，２２ｂ、前部カバー７の一対の突部１６，１６、及び突部１７が、片刃挿入防止のための規制手段となっている。例えば、図１６（ａ）に示すように、栓刃挿入孔７ａにのみ栓刃３ａが差し込まれた場合、扉体１０の遮蔽部２２ａのみが栓刃３ａにより押し込まれるため、扉体１０は、栓刃挿入孔７ａ側においてカバー６の後方へと沈み、栓刃挿入孔７ｂ側においてカバー６の前方へと押しつけられるように傾斜する。このとき、上述したように栓刃挿入孔７ｂに嵌合している遮蔽部２２ｂの一端側の側面部が栓刃挿入孔７ｂの一端側の内側面部に引っ掛かるとともに、突部１７の他端側の側面部が橋絡部１０ｄの一端側の側面部に引っ掛かり、これら遮蔽部２２ｂ及び突部１７によって扉体１０が引掛係止されることになるから、扉体１０が弾性体１１の付勢に抗してカバー６の一端側へ移動することが規制され、これにより扉体１０が開くことを防止することができる。逆に、図１６（ｂ）に示すように、栓刃挿入孔７ｂにのみ栓刃３ａが差し込まれた場合は、扉体１０の遮蔽部２２ｂのみが栓刃３ａにより押し込まれるため、扉体１０は、栓刃挿入孔７ｂ側においてカバー６の後方へと沈み、栓刃挿入孔７ａ側においてカバー６の前方へと押しつけられるように傾斜する。このとき、栓刃挿入孔７ａに嵌合している遮蔽部２２ａの一端側の側面部が栓刃挿入孔７ａの一端側の内側面部に引っ掛かるとともに、突部１６，１６の他端側の側面部が橋絡部１０ｂの一端側の側面部に引っ掛かり、これら遮蔽部２２ａ及び突部１６，１６によって扉体１０が引掛係止されることになるから、扉体１０が弾性体１１の付勢に抗してカバー６の一端側へ移動することが規制され、これにより扉体１０が開くことを防止することができる。このような規制手段によれば、例えば一方の栓刃挿入孔からプラグの栓刃や工具等を差し込んで扉体１０を開けようとしても、扉体１０がこのような外力を受けて傾斜した際には、規制手段が扉体１０を引掛係止して、扉体１０が弾性体１１の付勢に抗して移動することを規制するので、扉体１０が開かないようになっており、例えばプラグの栓刃の片刃挿入やいたずら等による感電を防止することができる。
【００８１】
本実施形態の扉付きコンセント装置１によれば、電源用の扉体１０に設けた溝部３３と、該溝部３３に摺動自在に嵌め合わされる突部３４ａとからガイド手段が構成されているので、栓刃挿入孔７ａ，７ｂの開閉動作中に溝部３３と突部３４ａとが外れて扉体１０がカバー６から外れてしまうことがなくなり、これにより上記実施形態１よりも、さらに安定した栓刃挿入孔７ａ，７ｂの開閉動作を行うことができるようになる。
【００８２】
（実施形態４）
本実施形態の扉付きコンセント装置１は、上記の実施形態１に比べて、扉体１０と後部カバー８の構成に特徴があり、その他の構成は上記の実施形態１と略同様なので同一の符号を付して説明を省略する。
【００８３】
本実施形態の扉体１０は、図１７に示すように、上記実施形態１の突部２３の替わりに、扉体１０のカバー６の前後方向に交差する面内で弾性体１１の付勢方向と直交する方向である短手方向において、前記扉体１０の両端側に、それぞれ弾性体１０の付勢方向である扉体１０の長手方向に離間した一対の突部３５，３５が突設してあり、扉体１０は合計４つの突部３５を備えている。
【００８４】
後部カバー８は、上記実施形態１の一対のスライドリブ２６，２６の替わりに、扉体１０の短手方向において互いに対向する一対のガイドリブ３６，３６を、扉体１０の長手方向に離間して二対突設して、合計４つのガイドリブ３６を設けてあり、この４つのガイドリブ３６において扉体１０の短手方向で互いに対向する内側面部に、一端側から他端側にいくにしたがって前方へ傾斜する斜面部３６ａを有する溝部３６ｂを形成してある。
【００８５】
上記実施形態１では、扉体１０は、図１（ａ），（ｂ）に示すように、突部２３，２３を一対のスライドリブ２６，２６の斜面部２６ａ，２６ａに摺動自在に当接されており、これら突部２３と斜面部２６ａとから、扉体１０がカバー６の後方へ押し込まれた際に扉体１０を一端側へ誘導するガイド手段が構成されていたが、本実施形態では、扉体１０は、図１８（ａ），（ｂ）に示すように、４つのガイドリブ３６の斜面部３６ａに扉体１０の４つの突部３５がそれぞれ摺動自在に当接されて、これら４つの斜面部３６ａと該４つの斜面部３６ａにそれぞれ対応する４つの突部３５とから、合計４つのガイド手段が構成されているのである。
【００８６】
次に、本実施形態の扉付きコンセント装置１の動作について説明する。尚、接地極用の扉体１２については上記実施形態１と同様なので説明を省略する。
【００８７】
図１８（ａ）は、扉付きコンセント装置１にプラグ３の栓刃３ａ，３ａ，３ｂを差し込む前、すなわち通常時の扉付きコンセント装置１を示している。この通常時において、電源用の扉体１０は、弾性体１１にカバー６の前後方向に摺動自在に当接しているので、扉体１０の前後位置によらずに弾性体１１によって他端側へ付勢されており、そのため扉体１０の４つの突部３５は、４つのガイドリブ３６の斜面部３６ａの他端側に位置している。ここで、斜面部３６ａは上述したように一端側から他端側にかけてカバー６の前方に向かうように傾斜しているので、扉体１０はカバー６の前壁の後方に近接し、このとき扉体１０の遮蔽部２２ａ，２２ｂが電源用の栓刃挿入孔７ａ，７ｂと嵌合するから、両栓刃挿入孔７ａ，７ｂが扉体１０により遮蔽されている。
【００８８】
図１８（ｂ）は、扉付きコンセント装置１にプラグ３の栓刃３ａ，３ａ，３ｂを差し込んだ際の扉付きコンセント装置１を示している。扉付きコンセント装置１にプラグ３を接続する際には、プラグ３の電源用の栓刃３ａ，３ａを電源用の栓刃挿入孔７ａ，７ｂから、プラグ３の接地極用の栓刃３ｂを接地極用の栓刃挿入孔７ｃからカバー６内に差し入れて、栓刃３ａ，３ａにより扉体１０をカバー６の後方へ向けて押し込むとともに、栓刃３ｂにより扉体１２をカバー６の後方へ向けて押し込んでいく。このように電源用の扉体１０が栓刃３ａ，３ａによりカバー６の後方へ押し込まれると、４つの突部３５がそれぞれ４つのガイドリブ３６の斜面部３６ａに沿ってカバー６の一端側へ摺動していくことになる。すなわち、扉体１０は、４つの突部３５と４つの斜面部３６ａとから構成されたガイド手段によって、弾性体１１を撓ませる方向へと誘導されるのである。そして扉体１０が弾性体１１の付勢に抗して一端側に移動していくと、やがて、図１８（ｂ）に示すように、遮蔽部２２ａ，２２ｂが栓刃挿入孔７ａ，７ｂの後方から一端側にずれて、扉体１０の窓部２１ａ，２１ｂが栓刃挿入孔７ａ，７ｂの後方に位置し、これにより栓刃挿入孔７ａ，７ｂと挿通孔８ａ，８ｂとが連通するから、栓刃３ａ，３ａを刃受部４，４に接触接続することができるようになる。このようにして扉体１０はカバー６の前壁に対して斜め後方向に並行移動し、この扉体１０の移動によって栓刃挿入孔７ａ，７ｂが開閉するのである。
【００８９】
プラグ３を扉付きコンセント装置１に接続した後、プラグ３の栓刃３ａ，３ａ，３ｂを扉付きコンセント装置１から引き抜いた場合、扉体１０は、栓刃３ａ，３ａによる押し込み方向の外力がかからないために、弾性体１１によって他端側へ付勢され、これにより各突部３５が各ガイドリブ３６の斜面部３６ａに沿って他端側へ摺動するから、扉体１０は前方へと押し上げられて、図１８（ａ）に示す上述の通常時の位置に復帰する。
【００９０】
また、本実施形態の扉付きコンセント装置１においても、上記実施形態１の扉付きコンセント装置１と同様に、扉体１０の遮蔽部２２ａ，２２ｂ、前部カバー７の一対の突部１６，１６、及び突部１７が、片刃挿入防止のための規制手段となっており、このような規制手段によれば、例えば一方の栓刃挿入孔からプラグの栓刃や工具等を差し込んで扉体１０を開けようとしても、扉体１０がこのような外力を受けて傾斜した際には、規制手段が扉体１０を引掛係止して、扉体１０が弾性体１１の付勢に抗して移動することを規制するので、扉体１０が開かないようになっており、例えばプラグの栓刃の片刃挿入やいたずら等による感電を防止することができる。
【００９１】
本実施形態の扉付きコンセント装置１によれば、電源用の扉体１０の短手方向の両端側に長手方向に離間して突設した各一対の突部３５，３５と、各突部３５が摺動自在に当接される斜面部３６ａとからガイド手段が構成され、合計４つのガイド手段を備えているので、プラグの栓刃挿入時に、扉体１０が４つのガイド手段により支持されて誘導されることになるので、扉体１０が移動する際にがたつきが生じなくなり、これにより上記の実施形態１に比べてさらに安定した栓刃挿入孔７ａ，７ｂの開閉動作を行うことができるようになる。
【図面の簡単な説明】
【００９２】
【図１】（ａ）は、本発明の実施形態１の扉付きコンセント装置の栓刃挿入前の概略断面図であり、（ｂ）は、同上の扉付きコンセント装置の栓刃挿入後の概略断面図である。
【図２】同上の扉付きコンセント装置のカバーの分解斜視図である。
【図３】（ａ）は、同上の扉付きコンセント装置の栓刃挿入孔が遮蔽された状態の前面図であり、（ｂ）は、同上の扉付きコンセント装置の栓刃挿入孔が開放された状態の前面図である。
【図４】同上の扉付きコンセント装置の前部カバーを後方からみた斜視図である。
【図５】（ａ）は、扉付きの平型コンセントを示す前面図であり、（ｂ）は、扉付きの抜け止めコンセントを示す前面図である。
【図６】（ａ）は、従来の扉付きコンセント装置を抜け止めコンセントに応用した例のカバーを後方から見た透視図であり、（ｂ）は、本発明の実施形態１の扉付きコンセント装置のカバーを後方から見た透視図である。
【図７】（ａ）は、本発明の実施形態１の扉付きコンセント装置の一方の栓刃挿入孔にのみ栓刃が挿入された状態を示す概略断面図であり、（ｂ）は、同上の扉付きコンセント装置の他方の栓刃挿入孔にのみ栓刃が挿入された状態を示す概略断面図である。
【図８】同上のその他の扉付きコンセント装置のカバーの分解斜視図である。
【図９】（ａ）は、同上の扉付きコンセント装置の栓刃挿入前の概略断面図であり、（ｂ）は、同上の扉付きコンセント装置の栓刃挿入後の概略断面図である。
【図１０】（ａ）は、同上の扉付きコンセント装置の一方の栓刃挿入孔にのみ栓刃が挿入された状態を示す概略断面図であり、（ｂ）は、同上の扉付きコンセント装置の他方の栓刃挿入孔にのみ栓刃が挿入された状態を示す概略断面図である。
【図１１】本発明の扉付きコンセント装置の使用例である。
【図１２】本発明の実施形態２の扉付きコンセント装置のカバーの分解斜視図である。
【図１３】（ａ）は、同上の扉付きコンセント装置のカバーの片刃挿入時の概略断面図であり、（ｂ）は、同上の扉付きコンセント装置のカバーの栓刃挿入時の概略断面図である。
【図１４】本発明の実施形態３の扉付きコンセント装置のカバーの分解斜視図である。
【図１５】（ａ）は、同上の扉付きコンセント装置の栓刃挿入前の概略断面図であり、（ｂ）は、同上の扉付きコンセント装置の栓刃挿入後の概略断面図である。
【図１６】（ａ）は、同上の扉付きコンセント装置の一方の栓刃挿入孔にのみ栓刃が挿入された状態を示す概略断面図であり、（ｂ）は、同上の扉付きコンセント装置の他方の栓刃挿入孔にのみ栓刃が挿入された状態を示す概略断面図である。
【図１７】本発明の実施形態４の扉付きコンセント装置のカバーの分解斜視図である。
【図１８】（ａ）は、同上の扉付きコンセント装置の栓刃挿入前の概略断面図であり、（ｂ）は、同上の扉付きコンセント装置の栓刃挿入後の概略断面図である。
【図１９】従来の扉付きコンセント装置のカバーの分解斜視図である。
【図２０】（ａ）は、同上の扉付きコンセント装置の栓刃挿入前の概略断面図であり、（ｂ）は、同上の扉付きコンセント装置の栓刃挿入後の概略断面図である。
【符号の説明】
【００９３】
１    扉付きコンセント装置
２    ボディ
３    プラグ
３ａ  電源用の栓刃
４    電源用の刃受部
６    カバー
７ａ，７ｂ  電源用の栓刃挿入孔
１０    電源用の扉体
１１    電源用の弾性体
１１ｂ  腕部
２３    突部
２６ａ  斜面部
【図１】
2006040733.tif 000003
【図２】
2006040733.tif 000004
【図３】
2006040733.tif 000005
【図４】
2006040733.tif 000006
【図５】
2006040733.tif 000007
【図６】
2006040733.tif 000008
【図７】
2006040733.tif 000009
【図８】
2006040733.tif 000010
【図９】
2006040733.tif 000011
【図１０】
2006040733.tif 000012
【図１１】
2006040733.tif 000013
【図１２】
2006040733.tif 000014
【図１３】
2006040733.tif 000015
【図１４】
2006040733.tif 000016
【図１５】
2006040733.tif 000017
【図１６】
2006040733.tif 000018
【図１７】
2006040733.tif 000019
【図１８】
2006040733.tif 000020
【図１９】
2006040733.tif 000021
【図２０】
2006040733.tif 000022